(57)【要約】
【課題】　収納時に要する幅方向のスペースを小さくすることができる筆洗ケースを提供する。
【解決手段】　筆洗ケース１は、樹脂の一体成形等により形成され、上面が開放された箱形形状の第１の筆洗体２及び第２の筆洗体３とから構成される。第１の筆洗体２及び第２の筆洗体３は、枠部１２及び１３においてヒンジ８ａ及び８ｂを介して接続され、ヒンジ８ａ及び８ｂを中心として開閉するように移動することができる。このような筆洗ケース１を筆洗として使用するときは、実線のように、第１の筆洗体２と第２の筆洗体３の各々の開放面同志をほぼ同一面内で並列させた状態とする。一方、筆洗ケース１を画材等の物品を収納するための収納ケースとして使用するときは、開放面同志を対向させた状態として、筆洗ケース１の幅方向の寸法Ｗ１から寸法Ｗ２に小さくすることが可能となる。
【選択図】　　　　図２
　
0003099459.tif 000002
【実用新案登録請求の範囲】
【請求項１】
絵筆等を洗浄するために用いられると共に画材道具を収納することができる筆洗ケースであって、
　上面が開放された開放面を有する箱型形状の第１の筆洗体と、
　上面が開放された開放面を有する箱型形状の第２の筆洗体とからなり、
　前記第１の筆洗体と前記第２の筆洗体とを、各々の前記開放面を同一平面上にして互いに並列させて連結する状態と、各々の前記開放面同志を対向させて互いに連結する状態とに変化自在とする、筆洗ケース。
【請求項２】
前記第１の筆洗体と前記第２の筆洗体とを、各々の前記開放面を同一平面上にして互いに並列させた状態において、各々の前記開放面を構成する枠部同志が少なくとも１つのヒンジによって連結された、請求項１記載の筆洗ケース。
【請求項３】
前記第１の筆洗体の内部は、少なくとも１つの仕切りによって仕切られており、
　前記第２の筆洗体は、前記開放面から外方に突出するように前記枠部の前記第１の筆洗体側の部分に接続されると共に、前記第１の筆洗体と前記第２の筆洗体との前記開放面の各々を対向させた状態において、前記第１の筆洗体の内部に収納される第１の取手を備えた、請求項２記載の筆洗ケース。
【請求項４】
前記第１の筆洗体は、前記第１の筆洗体の前記開放面と対向する面の外面に接続された第２の取手を備えた、請求項１から請求項３のいずれかに記載の筆洗ケース。
【請求項５】
前記筆洗ケースが複数存在する場合、前記第１の筆洗体と前記第２の筆洗体とを、前記開放面を同一平面上にして互いに並列させた状態において、各々の前記第１の筆洗体の少なくとも一部同志が側面視において重なり合い、かつ、各々の前記第２の筆洗体の少なくとも一部同志が側面視において重なり合うように積み重ねることができる形状に前記筆洗ケースは形成されている、請求項２または３記載の筆洗ケース。
【請求項６】
前記第１の筆洗体と前記第２の筆洗体とは、各々の前記開放面を構成する枠部同志が少なくとも１つの着脱自在の接続具によって連結される、請求項１記載の筆洗ケース。
【請求項７】
絵筆等を洗浄するために用いられると共に画材道具を収納することができる筆洗ケースであって、
　上面が開放された開放面を有する箱形形状の第１の筆洗体と、
　上面が開放された開放面を有する箱形形状の第２の筆洗体と、
　上面が開放された開放面を有する箱形形状の第３の筆洗体とからなり、
　前記第１の筆洗体と前記第２の筆洗体とを、各々の前記開放面を前記第３の筆洗体の前記開放面と同一平面上にして互いに並列させて連結する状態と、各々の開放面と前記第３の筆洗体の前記開放面とを対向させて互いに連結する状態とに変化自在とする、筆洗ケース。
【請求項８】
前記第３の筆洗体は、前記第１の筆洗体と前記第２の筆洗体とを、各々の前記開放面を前記第３の筆洗体の前記開放面と同一平面上にして互いに並列させた状態において、前記第１の筆洗体と前記第２の筆洗体との間に配置することができる、請求項７記載の筆洗ケース。
　
【考案の詳細な説明】
【技術分野】
【０００１】
　この考案は、筆洗ケースに関し、特に、絵筆等を洗浄するために用いられると共に画材道具を収納することができる筆洗ケースに関するものである。
【背景技術】
【０００２】
　図９は、従来の筆洗ケースの斜視図である。
　図を参照して、筆洗ケース５０は、合成樹脂等の一体成形により、全体としてほぼ直方体箱形形状に形成されており、絵の具等を用いて絵を描く際に内部に水を貯えて、絵筆等を洗浄するために使用されるものである。筆洗ケース５０の内部は、長手方向に形成された仕切り５５により、ほぼ直方体形状の区画５７と区画５８とに大きく二分されている。更に、区画５８の内部は、筆洗ケース５０の長手方向と直交する向きに形成された仕切り５６ａ及び５６ｂにより、その長手方向に３分割され、区画５９ａ〜５９ｃが形成されている。このように仕切られた区画５７及び区画５９ａ〜５９ｃのそれぞれは、筆洗としての使用時に、絵筆を段階的に洗浄できるように設けられているものである。
【０００３】
　筆洗ケース５０の内部を長手方向に区画している仕切り５５は、その上部に所定幅の平面部分を有するように形成されており、その平面部分には、取手５４が取付けられている。この取手５４は、仕切り５５に接した位置から二点鎖線で示した位置へと移動自在に構成されている。よって、筆洗ケース５０を持ち運ぶ時は、取手５４を仕切り５５から引き出すことで取手５４が掴みやすくなり、筆洗としての使用時や収納時は、取手５４の上方への突出状態が小さくなって邪魔にならず使い勝手が良い。
【０００４】
　図１０は、図９で示したＸ−Ｘラインの断面図である。
【０００５】
　図を参照して、筆洗ケース５０は、上述のように筆洗として使用することができるだけでなく、使用しない時にはその内部に画材道具等を収納するケースとしても使用することができるように構成されている。この場合、二点鎖線で示すように、収納ケース５０に形成された複数の区画のうち最も大きい区画５７に、ほぼ直方体形状のパレット５１や絵の具セット５２を収納し、仕切り５５で二分された他方の区画５８の仕切り５６ｂ等の上部に、細長い直方体形状の筆入れ５３を載せるように収納することができる。
【０００６】
　このように、筆洗ケース５０は、筆洗としての機能に加えて、画材道具等の持ち運びや収納が容易となるように構成されている。
【考案の開示】
【考案が解決しようとする課題】
【０００７】
　上記のような従来の筆洗ケースでは、筆洗としての使用時に複数の区画を必要とし、また、各々の区画の内部に水を入れた状態で設置状態を安定させるには、幅方向の寸法（図１０で示したＷ）はある程度の大きさが必要である。そうすると、筆洗ケースを戸棚等に収納したり、持ち運びのためにカバン等に収納するのに必要な幅方向のスペースが比較的大きくなってしまい、収納勝手が良いとは言えない。
　この考案は、上記のような課題を解決するためになされたもので、収納時に要する幅方向のスペースを小さくすることができる筆洗ケースを提供することを目的とする。
【課題を解決するための手段】
【０００８】
　上記の目的を達成するために、請求項１記載の考案は、絵筆等を洗浄するために用いられると共に画材道具を収納することができる筆洗ケースであって、上面が開放された開放面を有する箱型形状の第１の筆洗体と、上面が開放された開放面を有する箱型形状の第２の筆洗体とからなり、第１の筆洗体と第２の筆洗体とを、各々の開放面を同一平面上にして互いに並列させて連結する状態と、各々の開放面同志を対向させて互いに連結する状態とに変化自在とするものである。
【０００９】
　このように構成すると、第１の筆洗体と第２の筆洗体の開放面同志を対向させた垂直状態に変化させると、第１の筆洗体と第２の筆洗体との並列状態に比べて幅方向の大きさが小さくなる。
【００１０】
　請求項２記載の考案は、請求項１記載の考案の構成において、第１の筆洗体と第２の筆洗体とを、各々の開放面を同一平面上にして互いに並列させた状態において、各々の開放面を構成する枠部同志が少なくとも１つのヒンジによって連結されたものである。
【００１１】
　このように構成すると、第１の筆洗体と第２の筆洗体とは、ヒンジを支点として開閉するようにその配置が変化する。
【００１２】
　請求項３記載の考案は、請求項２記載の考案の構成において、第１の筆洗体の内部は、少なくとも１つの仕切りによって仕切られており、第２の筆洗体は、開放面から外方に突出するように枠部の第１の筆洗体側の部分に接続されると共に、第１の筆洗体と第２の筆洗体との開放面の各々を対向させた状態において、第１の筆洗体の内部に収納される第１の取手を備えたものである。
【００１３】
　このように構成すると、第１の筆洗体と第２の筆洗体とを、各々の開放面同志が並列した状態にすると、第１の筆洗体と第２の筆洗体とのほぼ中央部分に第１の取手が配置される。
【００１４】
　請求項４記載の考案は、請求項１から請求項３のいずれかに記載の考案の構成において、第１の筆洗体は、第１の筆洗体の開放面と対向する面の外面に接続された第２の取手を備えたものである。
【００１５】
　このように構成すると、第１の筆洗体と第２の筆洗体とを、各々の開放面同志が対向した状態にすると、筆洗ケースの外面上に第２の取手が配置される。
【００１６】
　請求項５記載の考案は、請求項２または請求項３記載の考案の構成において、筆洗ケースが複数存在する場合、第１の筆洗体と第２の筆洗体とを、開放面を同一平面上にして互いに並列させた状態において、各々の第１の筆洗体の少なくとも一部同志が側面視において重なり合い、かつ、各々の第２の筆洗体の少なくとも一部同志が側面視において重なり合うように積み重ねることができる形状に前記筆洗ケースは形成されているものである。
【００１７】
　このように構成すると、複数の筆洗ケースが効率よく積み重ねられる。
【００１８】
　請求項６記載の考案は、請求項１記載の考案の構成において、各々の開放面を構成する枠部同志が少なくとも１つの着脱自在の接続具によって連結されるものである。
【００１９】
　このように構成すると、第１の筆洗体と第２の筆洗体とは、接続具を取り外すことによってその連結が完全に解除される。
【００２０】
　請求項７記載の考案は、絵筆等を洗浄するために用いられると共に画材道具を収納することができる筆洗ケースであって、上面が開放された開放面を有する箱形形状の第１の筆洗体と、上面が開放された開放面を有する箱形形状の第２の筆洗体と、上面が開放された開放面を有する箱形形状の第３の筆洗体とからなり、第１の筆洗体と第２の筆洗体とを、各々の開放面を第３の筆洗体の開放面と同一平面上にして互いに並列させて連結する状態と、各々の開放面と第３の筆洗体の開放面とを対向させて互いに連結する状態とに変化自在とするものである。
【００２１】
　このように構成すると、第１の筆洗体及び第２の筆洗体の開放面の各々を、第３の筆洗体の開放面と対向させた垂直状態に変化させると、各々の筆洗体の並列状態に比べて幅方向の大きさが小さくなる。
【００２２】
　請求項８記載の考案は、請求項７記載の考案の構成において、第３の筆洗体は、第１の筆洗体と第２の筆洗体とを、各々の開放面を第３の筆洗体の開放面と同一平面上にして互いに並列させた状態において、第１の筆洗体と第２の筆洗体との間に配置することができるものである。
【００２３】
　このように構成すると、筆洗体の各々を並列状態に配置する際に、幅方向の大きさがより拡大する。
【考案の効果】
【００２４】
　以上説明したように、請求項１記載の考案は、第１の筆洗体と第２の筆洗体の開放面同志を対向させた垂直状態に変化させると、第１の筆洗体と第２の筆洗体との並列状態に比べて幅方向の大きさが小さくなるため、筆洗ケースの設置スペースを小さくすることが可能となる。
【００２５】
　請求項２記載の考案は、請求項１記載の考案の効果に加えて、第１の筆洗体と第２の筆洗体とは、ヒンジを支点として開閉するようにその配置が変化するため、第１の筆洗体と第２の筆洗体とは、分離することなく各々の配置を容易に変更することが可能となる。
【００２６】
　請求項３記載の考案は、請求項２記載の考案の効果に加えて、第１の筆洗体と第２の筆洗体とを、各々の開放面同志が並列した状態にすると、第１の筆洗体と第２の筆洗体とのほぼ中央部分に第１の取手が配置されるため、筆洗としての使用時の持ち運びがしやすくなる。また、第１の筆洗体と第２の筆洗体とを各々の開放面同志が対向した状態とし、収納ケースとして使用する際には内部に第１の取手が格納されるため、邪魔にならず見た目にもすっきりする。
【００２７】
　請求項４記載の考案は、請求項１から請求項３のいずれかに記載の考案の効果に加えて、第１の筆洗体と第２の筆洗体とを、各々の開放面同志が対向した状態にすると、筆洗ケースの外面上に第２の取手が配置されるため、収納ケースとして使用する際に、筆洗ケースの持ち運びが容易となる。また、第１の筆洗体と第２の筆洗体とを各々の開放面同志が並列した状態とし、筆洗として使用する際には、第１の筆洗体の底部に第２の取手が配置されるため、邪魔にならず見た目にもすっきりする。
【００２８】
　請求項５記載の考案は、請求項２または請求項３記載の考案の効果に加えて、複数の筆洗ケースが効率よく積み重ねられるため、複数の筆洗ケースを保管するために要する空間的なスペースを小さくすることが可能となる。
【００２９】
　請求項６記載の考案は、請求項１記載の考案の効果に加えて、第１の筆洗体と第２の筆洗体とは、接続具を取り外すことによってその連結が完全に解除されるため、第１の筆洗体と第２の筆洗体とを分離して自由に配置することが可能となる。
【００３０】
　請求項７記載の考案は、第１の筆洗体及び第２の筆洗体の開放面の各々を、第３の筆洗体の開放面と対向させた垂直状態に変化させると、各々の筆洗体の並列状態に比べて幅方向の大きさが小さくなるため、筆洗ケースの設置スペースを小さくすることが可能となる。
【００３１】
　請求項８記載の考案は、請求項７記載の考案の効果に加えて、筆洗体の各々を並列状態に配置する際に、幅方向の大きさがより拡大するため、筆洗として使用する際の設置状態が安定する。
【考案を実施するための最良の形態】
【００３２】
　図１は、この考案の第１の実施の形態による筆洗ケースの概略構成を示した斜視図であって、筆洗体の各々を並列させた状態を示した図である。
　図を参照して、筆洗ケース１は、樹脂の一体成形等により形成され上面が開放されたほぼ直方体箱形形状の第１の筆洗体２と、第１の筆洗体２とほぼ同様に形成され、第１の筆洗体２の長手方向に沿って配置された第２の筆洗体３とから構成される。第１の筆洗体と第２の筆洗体とは、各々の開放された面同志がほぼ同一面内で並列した状態に配置され、開放面を構成する枠部１２及び１３同志がヒンジ８ａ及び８ｂによって接続されている。第１の筆洗体２と第２の筆洗体３とは、後述するように、ヒンジ８ａ及び８ｂを支点として開閉するように移動することができ、各々の開放面同志を並列させた状態から対向させた状態へとそれらの配置を変化させることができる。
【００３３】
　第１の筆洗体２の内部は、長手方向と直交する方向に形成された仕切り７ａ及び７ｂにより、長手方向に３分割され、区画１０ａ〜１０ｃが形成されている。これらの区画１０ａ〜１０ｃは、図９で示した従来例と同様に、筆洗としての使用時に、絵筆を段階的に洗浄する等の使い方ができるように形成されているものである。
【００３４】
　一方、第２の筆洗体３には、枠部１３における第１の筆洗体２側の部分に、上方に突出した取手６が第２の筆洗体３と一体的に形成されている。よって、図のように第１の筆洗体２及び第２の筆洗体３を並列させた状態にして、筆洗ケース１を筆洗として使用する際には、取手６が筆洗ケース１のほぼ中央部分に配置され、筆洗ケース１の持ち運びがしやすくなる。
【００３５】
　図２は、図１で示したＩＩ−ＩＩラインの断面図である。また、図３は、この考案の第１の実施の形態による筆洗ケースの概略構成を示した斜視図であって、筆洗体の各々を垂直方向に配置した状態を示した図である。
【００３６】
　これらの図を参照して、筆洗ケース１は、図１０で示した従来例と同様に、筆洗として使用しない場合には、画材等の物品を収納するための収納ケースとして使用することができるように構成されている。例えば、仕切りが形成されていない第２の筆洗体３の内部に、二点鎖線で示すように、ほぼ直方体形状のパレット５１、絵の具セット５２及び筆入れ５３を収納することが可能である。
【００３７】
　第１の筆洗体２をヒンジ８ｂを中心として移動させると、図２の破線で示した位置を経て第２の筆洗体３の垂直上方へと移動し、最終的に図２の二点鎖線で示した位置において、第１の筆洗体２と第２の筆洗体３の各々の開放面同志が対向した状態となる。そして、枠部１２の係合片１８と、枠部１３の凸部１５とを互いに係合することによって、第１の筆洗体２のヒンジ８ｂを中心とする移動が阻止され、第１の筆洗体２と第２の筆洗体３とが完全に連結された状態となる。このとき、筆洗ケース１の幅方向の大きさは、第１の筆洗体２及び第２の筆洗体３を並列状態に配置したときの寸法Ｗ１から、垂直状態に配置したときの寸法Ｗ２へと小さくなり、筆洗ケース１の収納等に要する幅方向のスペースを小さくすることが可能となる。
【００３８】
　また、この筆洗ケース１は、第１の筆洗体２をヒンジ８ｂを中心に図２の二点鎖線の位置にまで移動させると、上方に突出していた取手６が第１の筆洗体２の一方の内壁に沿って格納されるように構成されている。よって、筆洗ケース１を筆洗として使用しない場合には、取手６が物品の収納や持ち運びの際に邪魔にならず、見た目にもすっきりした状態となる。
【００３９】
　更に、第１の筆洗体の区画１０ｂの部分には、開放された上面と対向する面の外面に取手５が取付けられている。この取手５は、第１の筆洗体２及び第２の筆洗体３を並列状態に配置したときは（図２の実線部分）、第１の筆洗体２の底部に位置しているが、垂直状態に変化させると（図２の二点鎖線の部分）、筆洗ケース１の上方に突出した状態となる。よって、筆洗ケース１の内部に画材等の物品を収納した状態で、取手５を持ってそのまま持ち運ぶ際や、筆洗ケース１をカバンや棚等に出し入れする際に持ちやすくなり、使い勝手が良い。
【００４０】
　図４は、この考案の第１の実施の形態による筆洗ケースを積み重ねた状態を示した断面図である。
【００４１】
　図４を参照して、筆洗ケースが複数ある場合には、それらの筆洗ケースの各々を第１の筆洗体及び第２の筆洗ケースを並列させた状態とし、互いに積み重ねて効率的に配置することが可能である。この点について、図の実線で示した筆洗ケース１ａと、二点鎖線で示した筆洗ケース１ｂとの２つの関係において説明する。筆洗ケース１ｂを筆洗ケース１ａの上方に積み重ねた状態において、筆洗ケース１ｂの一部が筆洗ケース１ａの内部に位置した状態とすることができる。即ち、第１の筆洗体２ａ及び２ｂの少なくとも一部同志が側面視において重なり合うと共に、第２の筆洗体３ａ及び３ｂもまた、側面視において少なくとも一部同志が重なり合った状態となる。尚、このとき、筆洗ケース１ａの上方に突出している取手６ａは、筆洗ケース１ｂの取手６ｂの下方において、第１の筆洗体２ｂと第２の筆洗体３ｂとで挟まれる空間内に配置されている。このようにして筆洗ケース１ａ及び１ｂを積み重ねることができるため、高さ方向の大きさは、側面視において重なり合う部分の大きさｈの分だけ小さくなり、複数の筆洗ケースの保管等に要する空間的なスペースを小さくすることが可能となる。
【００４２】
　図５は、この考案の第２の実施の形態による筆洗ケースの概略構成を示した斜視図であって、筆洗体の各々を並列させた状態を示した図である。
【００４３】
　図を参照して、この実施の形態による筆洗ケース１の基本的な構成は、第１の実施の形態によるものと同様であるが、第１の筆洗体２及び第２の筆洗体３をそれぞれ分離することができる点が、第１の実施の形態によるものとは大きく異なっている。
【００４４】
　筆洗ケース１を筆洗として使用する際は、第１の筆洗体２及び第２の筆洗体３の開放面同志がほぼ同一面内で並列するように、第１の筆洗体２を二点差線で示した位置に配置する。そして、開放面を構成する枠部１２及び１３同志を着脱自在の接続具１６ａ及び１６ｂにより接続することにより、第１の筆洗体２と第２の筆洗体３とが連結された状態となる。
【００４５】
　図６は、この考案の第２の実施の形態による筆洗ケースの概略構成を示した斜視図であって、筆洗体の各々を垂直方向に配置した状態を示した図である。
【００４６】
　図を参照して、この実施の形態による筆洗ケース１もまた、内部に画材等を収納するための収納ケースとして使用することが可能である。それにはまず、第１の筆洗体２及び第２の筆洗体３が並列した状態（図５の二点鎖線の位置）から、着脱自在の接続具を取り外して、第１の筆洗体２と第２の筆洗体３とを完全に分離した状態（図５の実線の位置）とする。次に、図６の二点鎖線に示すように、第１の筆洗体２の開放された面と、第２の筆洗体３の開放された面とを対向させ、最終的に、実線の位置で第１の筆洗体２と第２の筆洗体３とを垂直方向に配置する。そして、枠部１２及び１３同志を着脱自在な接続具１７によって接続することにより、第１の筆洗体２と第２の筆洗体３との連結が完了する。
【００４７】
　この実施の形態による筆洗ケース１においても同様に、第１の筆洗体２及び第２の筆洗体３の配置を、各々の開放面同志が並列した状態と、対向した状態とに変化させることによって、幅方向のスペースを小さくすることが可能となる。また、第１の実施の形態と同様に、第１の筆洗体２の外方面に取手５が形成されていると共に、第２の筆洗体３の枠部１３に取手６が形成されている。そのため、筆洗ケース１を収納ケースとして使用する場合及び筆洗として使用する場合のいずれにも、持ち運びや出し入れ等の操作が容易となると共に、一方の取手を使用する際は他方が邪魔にならず、使い勝手が良い。更に、この実施の形態による筆洗ケース１では、第１の筆洗体２及び第２の筆洗体３をそれぞれ完全に分離することができるため、筆洗ケース１の使い方の自由度が増し、例えば、筆洗ケース１の洗浄等の作業がしやすくなる。
【００４８】
　図７は、この考案の第３の実施の形態による筆洗ケースの概略構成を示した斜視図であって、筆洗体の各々を並列させた状態を示した図である。
【００４９】
　図を参照して、この実施の形態による筆洗ケース１の基本的な構成は、第２の実施の形態によるものとほぼ同様であるが、分離可能な３つの筆洗体（第１の筆洗体２〜第３の筆洗体４）から構成されている点が、第２の実施の形態によるものとは大きく異なっている。
【００５０】
　筆洗ケース１は、第１の筆洗体２と、第２の筆洗体３及び第３の筆洗体４から構成されている。各筆洗体の長手方向の寸法は、第１の筆洗体２及び第２の筆洗体３の開放面を構成する枠部１２及び１３の長手方向の寸法の和が、第３の筆洗体４の開放面を構成する枠部１４の長手方向の寸法とほぼ等しくなるように設定されている。これらの筆洗体は、第１の筆洗体２と第２の筆洗体３とで、第３の筆洗体４をその対角線方向に挟み、各筆洗体の開放された面の各々がほぼ同一面内において並列するように配置されている。そして、各々の開放面を構成している、枠部１２及び１４と、枠部１３及び１４とがそれぞれ、着脱自在の接続具１６ａ及び１６ｂによって接続され、筆洗体同志が互いに連結されている。
【００５１】
　この筆洗ケース１ではまた、第２の筆洗体３を、実線で示した位置だけでなく、二点鎖線で示した位置に配置して、図示しない着脱自在の連結具により連結し、筆洗ケース１全体をほぼ直方体形状に構成することも可能である。したがって、使用者の好みや使用状況に応じて、より自由度の高い筆洗ケースの使用方法が可能となる。
【００５２】
　図８は、この考案の第３の実施の形態による筆洗ケースの概略構成を示した斜視図であって、筆洗体の各々を垂直方向に配置した状態を示した図である。
【００５３】
　図を参照して、筆洗ケース１を収納ケースとして使用する際は、まず、筆洗体の各々を並列に配置した状態（図７）から、接続具を取り外して、完全に分離した状態とする。次に、図の二点鎖線に示すように、第１の筆洗体２及び第２の筆洗体３の開放された面の各々を、第３の筆洗体４の開放された面と対向させ、最終的に第１の筆洗体２及び第２の筆洗体３を実線で示した位置に配置する。そして、枠部１２及び１４と、枠部１３及び１４とをそれぞれ、図示しない着脱自在の連結具等で接続することにより、各筆洗体が相互に連結された状態となる。
【００５４】
　この実施の形態による筆洗ケース１においても、第１の筆洗体２、第２の筆洗体３及び第３の筆洗体４の配置を、各々の開放された面同志が並列した状態と、対向した状態とに変化させることによって、幅方向のスペースを小さくすることが可能となる。また、筆洗としての使用時には、第３の筆洗体４を第１の筆洗体２と第２の筆洗体３（図７の実線の位置）との間に配置することも可能となるので、筆洗ケース１の幅方向の大きさがより大きくなり、設置状態が安定する。
【００５５】
　尚、上記の各実施の形態では、各筆洗体は、ほぼ直方体箱形形状に形成されているが、必ずしも直方体形状である必要はなく、他の箱形形状に形成しても良い。
【００５６】
　また、上記の各実施の形態では、いずれかの筆洗体の内部に仕切りが形成されているが、必ずしもこのように構成する必要はなく、仕切りはなくても良い。また、仕切りを脱着自在となるように構成しても良い。
【００５７】
　更に、上記の各実施の形態では、第１の筆洗体の開放面と対向する面の外面に、取手が形成されているが、この取手は必ずしも必要なものではなく、第１の筆洗体を取手のない構成としても良い。
【００５８】
　更に、上記の各実施の形態では、筆洗としての使用時に使用される取手は、第２の筆洗体の枠部に固定されているが、図９の従来例で示したように、上下に移動して収納自在となるように形成することも可能である。また、この取手は必ずしも必要なものではなく、第２の筆洗体を枠部に取手のない構成としても良い。
【００５９】
　更に、上記の第１及び第２の実施の形態では、第１の筆洗体及び第２の筆洗体の各々の開放面同志の形状や大きさは必ずしも同一である必要はなく、若干異なっていても良い。
【００６０】
　更に、上記の第２及び第３の各実施の形態では、筆洗体の各々を連結するための連結具として、上記に示したものに限らず、他の形状等の連結具を使用しても良い。また、連結具自体を必ずしも着脱自在に構成する必要はなく、各筆洗体の一部に連結に必要な構造を構成しても良い。
【００６１】
　更に、上記の第１の実施の形態では、筆洗体の各々を並列させた状態で、複数の筆洗ケースを積み重ねることができるように構成されているが、このように構成することは必ずしも必要ではない。
【００６２】
　更に、上記の第３の実施の形態では、各筆洗体を垂直状態に配置したときに、第１の筆洗体と第２の筆洗体の両方の開放面で形成される領域の形状や大きさは、必ずしも第３の筆洗体の開放面と同一である必要はなく、若干異なっていても良い。
【００６３】
　更に、上記の第３の実施の形態では、いずれかの筆洗体の枠部に開放面より外方に突出する取手を形成して、筆洗としての使用時に持ち運び等がしやすくなるように筆洗ケースを構成しても良い。
【００６４】
　更に、上記の第３の実施の形態では、筆洗ケースは３つの筆洗体から構成されているが、更にいずれかの筆洗体を分割して、４以上の筆洗体からなる筆洗ケースを構成することも可能である。
【図面の簡単な説明】
【００６５】
【図１】この考案の第１の実施の形態による筆洗ケースの概略構成を示した斜視図であって、筆洗体の各々を並列させた状態を示した図である。
【図２】図１で示したＩＩ−ＩＩラインの断面図である。
【図３】この考案の第１の実施の形態による筆洗ケースの概略構成を示した斜視図であって、筆洗体の各々を垂直方向に配置した状態を示した図である。
【図４】この考案の第１の実施の形態による筆洗ケースを積み重ねた状態を示した断面図である。
【図５】この考案の第２の実施の形態による筆洗ケースの概略構成を示した斜視図であって、筆洗体の各々を並列させた状態を示した図である
【図６】この考案の第２の実施の形態による筆洗ケースの概略構成を示した斜視図であって、筆洗体の各々を垂直方向に配置した状態を示した図である。
【図７】この考案の第３の実施の形態による筆洗ケースの概略構成を示した斜視図であって、筆洗体の各々を並列させた状態を示した図である。
【図８】この考案の第３の実施の形態による筆洗ケースの概略構成を示した斜視図であって、筆洗体の各々を垂直方向に配置した状態を示した図である。
【図９】従来の筆洗ケースの斜視図である。
【図１０】図９で示したＸ−Ｘラインの断面図である。
【符号の説明】
【００６６】
　１…筆洗ケース
　２…第１の筆洗体
　３…第２の筆洗体
　４…第３の筆洗体
　５、６…取手
　７…仕切り
　８…ヒンジ
　１６、１７…接続具
　尚、各図中同一符号は同一または相当部分を示す。
　
【図１】
0003099459.tif 000003
【図２】
0003099459.tif 000004
【図３】
0003099459.tif 000005
【図４】
0003099459.tif 000006
【図５】
0003099459.tif 000007
【図６】
0003099459.tif 000008
【図７】
0003099459.tif 000009
【図８】
0003099459.tif 000010
【図９】
0003099459.tif 000011
【図１０】
0003099459.tif 000012